(57)【特許請求の範囲】
【請求項１】
キッチン台本体内部に収納されるとともに、キッチン台本体の側周面所定箇所に形成された開口から外部に向けて引き出し自在に設けられた補助カウンタを備えるキッチン台であって、
前記補助カウンタの上面所定箇所には、所定高さを有し、引き出し方向に向けて下方に傾斜する傾斜面が形成されている凸条部が延設されており、前記補助カウンタが使用位置に引き出されている状態において、前記凸条部の少なくとも一部が前記開口の上縁部内面と対向する位置に配置されることを特徴とする補助カウンタを備えるキッチン台。
【請求項２】
前記凸条部の長手方向の両端部からは、所定高さを有する補助凸条部が引き出し方向に向けて延設されていることを特徴とする請求項１に記載の補助カウンタを備えるキッチン台。
【請求項３】
前記補助カウンタのカウンタ部は、板状の基材及び該基材の表面を覆う表面板にて構成されており、前記表面板の少なくとも幅方向の端部からは垂下片が下方に向けて延設され、該垂下片の下端が少なくとも前記基材の下面よりも下方に位置するとともに、前記基材の裏面側には、当該補助カウンタを前記キッチン台の本体に対して引き出し自在に支持する支持レールが設けられていることを特徴とする請求項１または２に記載の補助カウンタを備えるキッチン台。
【請求項４】
前記補助カウンタは、板状の基材及び該基材の表面を覆うステンレス製の表面板にて構成されるカウンタ部と、該カウンタ部の引き出し側端部に取り付けられるアルミニウム製の部材からなる取手部と、から構成されており、前記カウンタ部と前記取手部との間に電食防止部材が設けられていることを特徴とする請求項１ないし３のいずれかに記載の補助カウンタを備えるキッチン台。
【請求項５】
前記補助カウンタが使用位置まで引き出されたときに、該補助カウンタを前記使用位置に保持する保持手段を備えることを特徴とする請求項１ないし４のいずれかに記載の補助カウンタを備えるキッチン台。
【請求項６】
前記補助カウンタの側面所定箇所には、所定高さを有する側面凸条部が設けられており、前記補助カウンタが使用位置に引き出されている状態において、前記側面凸条部の少なくとも一部が前記開口の側縁部内面と対向する位置に配置されることを特徴とする請求項１ないし５のいずれかに記載の補助カウンタを備えるキッチン台。
【発明の詳細な説明】
【技術分野】
【０００１】
本発明は、例えばキッチン等に配置されるキッチンカウンタや、洗面所等に配置される洗面カウンタ等の水廻り用のカウンタに係わり、特に補助カウンタを備えるキッチン台に関する。
【背景技術】
【０００２】
従来、この種の補助カウンタを備えたカウンタとしては、例えばシンクを有するワークトップの側面に補助テーブル（補助カウンタ）が引き出し自在に設けられたものや、平面視略円弧状に形成されたワークトップの左右側端縁部の下部に補助テーブル（補助カウンタ）が引き出し自在に設けられたもの等がある（例えば、特許文献１，２参照）。
【０００３】
【特許文献１】特開平５−６８６１３号公報（第２頁、第１−２図）
【特許文献２】特開平５−６８６１１号公報（第２頁、第１図）
【発明の開示】
【発明が解決しようとする課題】
【０００４】
しかしながら、上記特許文献１，２に記載の補助テーブルにあっては、カウンタの側面や前面に形成した開口を介してカウンタ本体内部に収納した補助テーブルを引き出し自在としている。このように開口を介して補助テーブルをカウンタ本体に対して引き出し自在とする場合においては、補助テーブルの出し入れの際に補助テーブル上面と前記開口の上縁部内面とが摺接すると、補助テーブル上面が傷ついたり、出し入れの際に抵抗がかかる虞があるため、両者間に予め所定幅の隙間が形成されていることが多い。
【０００５】
しかしながら、特にカウンタトップにおいて水を使用したり食材を調理するカウンタにおいては、補助テーブルを前方に引き出して使用している状態において、補助テーブルを使用している際に補助テーブルの上面に落ちた水やゴミ、あるいはカウンタトップから零れてカウンタトップの端縁部を伝い落ちてきた雫やごみが、開口の上縁部内面と補助テーブルの上面との間に形成されている隙間からカウンタ本体内部に進入し、カウンタ本体内部でかびが発生したりゴミが溜まる虞があり、衛生上好ましくなかった。
【０００６】
本発明は、このような問題点に着目してなされたもので、補助カウンタを引き出して使用している状態において、該補助カウンタの上面と開口の上縁部内面との間の隙間から水やゴミ等がカウンタの本体内部に進入することがない補助カウンタを備えるキッチン台を提供することを目的とする。
【課題を解決するための手段】
【０００７】
前記課題を解決するために、本発明の請求項１に記載の補助カウンタを備えるキッチン台は、キッチン台本体内部に収納されるとともに、キッチン台本体の側周面所定箇所に形成された開口から外部に向けて引き出し自在に設けられた補助カウンタを備えるキッチン台であって、
前記補助カウンタの上面所定箇所には、所定高さを有し、引き出し方向に向けて下方に傾斜する傾斜面が形成されている凸条部が延設されており、前記補助カウンタが使用位置に引き出されている状態において、前記凸条部の少なくとも一部が前記開口の上縁部内面と対向する位置に配置されることを特徴としている。
この特徴によれば、補助カウンタを使用位置まで引き出すことで、開口の上縁部内面に凸条部が近接もしくは当接し、開口の上縁部内面と補助カウンタの上面との間の隙間が小さくなるため、水やゴミ等のキッチン台本体内部への進入が効果的に防止されるとともに、補助カウンタの出し入れの際に該補助カウンタの上面が開口の上縁部内面に摺接し、上面に傷がついたり、抵抗がかかって出し入れしにくくなることがない。更にキッチン台の上面から開口の上縁部内面まで伝い落ちてきた雫は、その下部が傾斜面に接触して凸条部に伝い落ちると、そのまま前方に誘導されるため、凸条部に伝い落ちた雫がキッチン台の本体内部側に進入することが効果的に防止される。また、傾斜面が形成されることで、補助カウンタの上面と凸条部との間に凹部や鋭角部が形成されることがないため、清掃しやすい。
【０００９】
本発明の請求項２に記載の補助カウンタを備えるキッチン台は、請求項１に記載の補助カウンタを備えるキッチン台であって、
前記凸条部の長手方向の両端部からは、所定高さを有する補助凸条部が引き出し方向に向けて延設されていることを特徴としている。
この特徴によれば、補助カウンタが完全に引き出されていない状態において、補助カウンタの幅方向の端部から水やゴミ等が落下してキッチン台本体の内部に進入することが効果的に防止される。
【００１０】
本発明の請求項３に記載の補助カウンタを備えるキッチン台は、請求項１または２に記載の補助カウンタを備えるキッチン台であって、
前記補助カウンタのカウンタ部は、板状の基材及び該基材の表面を覆う表面板にて構成されており、前記表面板の少なくとも幅方向の端部からは垂下片が下方に向けて延設され、該垂下片の下端が少なくとも前記基材の下面よりも下方に位置するとともに、前記基材の裏面側には、当該補助カウンタを前記キッチン台の本体に対して引き出し自在に支持する支持レールが設けられていることを特徴としている。
この特徴によれば、補助カウンタ上面の雫が左右端縁から零れ落ちたとしても、垂下片の下端まで伝い落ちた雫が基材裏面側に回りこむことがないので、基材裏面が雫により汚れたり、内側の支持レールが錆びること等が防止されるばかりか、支持レールが垂下片により隠蔽されるので見栄えがよい。
【００１１】
本発明の請求項４に記載の補助カウンタを備えるキッチン台は、請求項１ないし３のいずれかに記載の補助カウンタを備えるキッチン台であって、
前記補助カウンタは、板状の基材及び該基材の表面を覆うステンレス製の表面板にて構成されるカウンタ部と、該カウンタ部の引き出し側端部に取り付けられるアルミニウム製の部材からなる取手部と、から構成されており、前記カウンタ部と前記取手部との間に電食防止部材が設けられていることを特徴としている。
この特徴によれば、アルミニウムとステンレスとの電食が防止される。
【００１２】
本発明の請求項５に記載の補助カウンタを備えるキッチン台は、請求項１ないし４のいずれかに記載の補助カウンタを備えるキッチン台であって、
前記補助カウンタが使用位置まで引き出されたときに、該補助カウンタを前記使用位置に保持する保持手段を備えることを特徴としている。
この特徴によれば、使用状態において、開口の上縁部内面に対向する凸条部の位置が出し入れ方向にずれることが防止されるため、水やゴミの進入が効果的に防止される。
【００１３】
本発明の請求項６に記載の補助カウンタを備えるキッチン台は、請求項１ないし５のいずれかに記載の補助カウンタを備えるキッチン台であって、
前記補助カウンタの側面所定箇所には、所定高さを有する側面凸条部が設けられており、前記補助カウンタが使用位置に引き出されている状態において、前記側面凸条部の少なくとも一部が前記開口の側縁部内面と対向する位置に配置されることを特徴としている。
この特徴によれば、補助カウンタを使用位置まで引き出した状態において開口の側縁部内面に凸条部が近接もしくは当接し、開口の側縁部内面と補助カウンタの側面との間の隙間が小さくなるため、水やゴミ等のキッチン台本体内部への進入がより効果的に防止されるとともに、補助カウンタの出し入れの際に該補助カウンタの側面が開口の側縁部内面に摺接し、抵抗がかかって出し入れしにくくなることがない。
【発明を実施するための最良の形態】
【００１４】
本発明に係る補助カウンタを備えるキッチン台を実施するための最良の形態を実施例に基づいて以下に説明する。
【実施例】
【００１５】
本発明の実施例を図面に基づいて説明すると、先ず図１は、本発明の本実施例としてのキッチンカウンタを示す斜視図であり、図２は、図1のキッチンカウンタの要部を示す平面図であり、図３は、図２のＡ−Ａ要部断面図であり、図４は、図３の要部拡大図であり、図５は、同じく図３の要部拡大断面図であり、図６は、図２のＢ−Ｂ断面図であり、図７は、補助カウンタの使用状態における作用を示す断面図である。以下、図１における紙面左下方側をキッチンカウンタの正面側として説明する。
【００１６】
図１の符号１は、室内空間をキッチン側とダイニング側とに仕切るように配置されるカウンタの一例としてのキッチン台（以下キッチンカウンタ１という）であり、このキッチンカウンタ１の正面側はキッチン空間となっているとともに、キッチンカウンタ１の背面側はダイニング空間となっている。このキッチンカウンタ１は、キッチン側に居る使用者がダイニング側に居る人と対面しながら調理作業を行える対面式のキッチンカウンタ１となっている。
【００１７】
図１に示すように、キッチンカウンタ１の天板２の上面における左側には、加熱部としての電磁加熱器３が設けられているとともに、左右方向の中央位置にはシンク４及び蛇口５が設けられており、中央のシンク４の左右側には調理スペースが形成されている。
【００１８】
キッチンカウンタ１の本体内部には、調理器具や調味料等を収納可能な収納部（図示略）を有する複数の引き出し６、食器等を洗浄する食器洗浄機７、本発明の補助カウンタ８等が、キッチンカウンタ１の正面から前方に向けて引き出し自在に収納されている。尚、本実施例におけるキッチンカウンタ１の本体正面における右側、すなわち、シンク４の右側に形成される調理スペースに対応する位置に、補助カウンタ８・食器洗浄機７・引き出し６が上・中・下段にそれぞれ配置されている。
【００１９】
キッチンカウンタ１の本体正面における右側端部の上段に設けられる補助カウンタ８は、図２及び図３に示されるように、平面視略長方形をなす平板状のカウンタ部９と、該カウンタ部９の前端に取り付けられる取手部１０と、から構成されており、キッチンカウンタ１の本体内部における右側部に形成された収納空間Ｓ内に収納される収納位置（図２中２点鎖線で示される位置）と、キッチンカウンタ１の本体正面に形成された開口１１を介して前記収納位置から前方に引き出された使用位置（図２中実線で示される位置）と、の間で、収納空間Ｓ内左右側に配置されるガイドレール１２，１２（支持レール）を介して前後方向（出し入れ方向）にスライド移動自在に設けられている。
【００２０】
ガイドレール１２は、図２，３及び図６に示されるように、キッチンカウンタ１の本体内部の収納空間Ｓ内の左右の内壁面に固着される固定レール１２ａと、カウンタ部９の下面左右側に固着される引き出しレール１２ｂと、これら固定レール１２ａと引き出しレール１２ｂとの間に摺動自在に設けられる摺動レール１２ｃと、から構成されている。
【００２１】
カウンタ部９の上面後部には、後述する凸状部を構成する合成樹脂製材からなる所定長さの凸条部材１３が左右幅方向にわたって取り付けられており、この凸条部材１３によりカウンタ部９の上面後部に左右方向に延びる凸条部が形成されている。この凸条部材１３は、使用位置まで前方に引き出された状態において、凸条部材１３の前後幅方向の少なくとも一部が、開口１１の上縁部内面１１ａと対向するとともに、開口１１の上縁部内面１１ａの長手方向にわたって帯状の凸条部材１３が対向するように配置されるようになっている。また、横長帯状の凸条部材１３の上面前部（引き出し側）には、特に図７の拡大図に示されるように、前方に向けて下方に傾斜する傾斜面１３ａが形成されており、天板２の前端縁を伝って落ちてきた雫Ｗを前方に向けて誘導するようになっている。また、傾斜面１３ａが形成されることで、カウンタ部９の上面と凸条部１３との間に凹部や鋭角部が形成されることがないため、清掃しやすい。
【００２２】
尚、図７に示されるように、本実施例における凸条部材１３の厚みＬ１は約３ｍｍとされているとともに、使用位置において、該凸条部材１３の傾斜面１３ａよりも後側の上面１３ｂと開口１１の上縁部内面１１ａとの間に形成される隙間Ｌ２は約４ｍｍとされている。つまり、カウンタ部９の上面と上縁部内面１１ａとの間に形成される隙間Ｌ３（Ｌ１+Ｌ２）は約７ｍｍであり、凸条部材１３が上縁部内面１１ａの直下の対向位置に配置されたとき、カウンタ部９の上面よりも上縁部内面１１ａに近接することになる。また、本実施例においては、図３及び図７に示されるように、天板２の前端部には下向きに屈曲される屈曲片部２ａが形成されており、この天板２の前端部に形成される屈曲片部２ａの下面が補助カウンタ８の開口１１の上縁部内面１１ａを構成している。
【００２３】
尚、本実施例における凸条部材１３は合成樹脂材からなっているが、その材質は限定されるものではなく種々に変更可能であるが、耐水性を有する材質であることが好ましい。また、少なくとも凸条部１３の傾斜面１３ａや上面１３ｂを、摩擦抵抗が小さく滑りやすい素材（例えばポリアセタール樹脂やナイロン樹脂）にて構成したり、コーティング等の表面加工を施すことで、上縁部内面１１ａと接触しても抵抗がかかりにくくすることが好ましい。さらに、雫を弾きやすい材質とすることにより、雫Ｗを効果的に前方に誘導できる。
【００２４】
また、上縁部内面１１ａの後部には、図７に示されるように、軟質の合成樹脂材からなる側面視略Ｊ字形のパッキン１４の上端が取り付けられており、補助カウンタ８が使用位置まで引き出された状態において、パッキン１４の下端が凸条部材１３の上面１３ｂに摺接し、上面１３ｂと上縁部内面１１ａとの間に形成される隙間Ｌ２が左右幅方向にわたって閉塞され、ゴミや水の進入が防止されるようになっている。
【００２５】
取手部１０は、押し出し成型により得られたアルミニウム製の部材からなり、図２に示されるように、カウンタ部９の左右幅よりも若干長寸に形成され、補助カウンタ８が収納位置に配置された状態において、横長長方形状の開口１１の前面を閉塞可能な大きさを有している。取手部１０の前面には、内部に手を挿入可能な凹溝１０ｃが長手方向に延設されているとともに、特に図４に示されるように、上部前端は下方に屈曲されて手掛け部１０ａが形成されており、使用者は凹溝１０ｃ内に手を挿入して上部の手掛け部１０ａに指を上向きにして掛けることにより、補助カウンタ８を前方に引き出せるようになっている。
【００２６】
図４に示されるように、取手部１０の後面からは突片１０ｂが後向きに延設されており、該突片１０ｂを基材９ａの前端部下面にネジにより止着することでカウンタ部９の前端に取り付けられている。また、取手部１０の後面上部と基材９ａの表面に装着されている表面板９ｂの前端との間には、合成樹脂材からなる側面視Ｌ字形の絶縁部材１５（電食防止部材）が設けられており、これによりアルミニウム製の取手部１０と後述するステンレス製の表面板９ｂとの接触による電食が防止されるようになっている。
【００２７】
また、取手部１０は押し出し成型により形成されていることにより、図４に示されるように左右端部が開口されるため、左右端部には図２に示されるエンドキャップ１０ｄが装着され、左右端開口が閉塞されている。左右のエンドキャップ１０ｄの後方の角部は面取り加工が施されており、特に収納位置において、キッチンカウンタ１本体の右側板１ａの前端面と取手部１０の右端部後面との間に若干の隙間が形成されたときに、エンドキャップ１０ｄの角部に使用者の衣服等が引っ掛かかることがないようになっている。
【００２８】
補助カウンタ８のカウンタ部９は、図６に示されるように、木材からなる基材９ａと、該基材９ａの上面を覆うように固着されるステンレス製の表面板９ｂとから構成されている。表面板９ｂの左右端部はそれぞれ下方に向けて屈曲されて垂下片９ｃ，９ｃが形成されており、その下端は、基材９ａの下面よりも下方まで延設されており、カウンタ部９の上面の水等が左右端部から零れ落ちた場合に、垂下片９ｃの外面を伝って雫が下端まで落ちてきたときに、雫は基材９ａ下面に回り込むことなく、そのまま下方に落下するので、木材からなる基材９ａが腐食することが防止される。また、前述した引き出しレール１２ｂ等が、左右の垂下片９ｃ，９ｃの内側に配置されていることで、これら引き出しレール１２ｂが垂下片９ｃ，９ｃにより外部から見えにくくなるため、外観体裁が向上するとともに、雫が引き出しレール１２に付着して錆びが発生することが防止される。
【００２９】
図２、図３及び図６に示されるように、カウンタ部９の下面、すなわち基材９ａの下面右側には、補助カウンタ８が収納位置に押し込まれたときにおける衝撃や衝撃音の発生を抑制するためのサイレンサー１６が取り付けられている。サイレンサー１６は、収納空間Ｓ内における右側板１ａ内面に固着された固定レール１２ａに固定された固定ギヤ１７に噛合可能な回転ギヤ１６ｂと、該回転ギヤ１６ｂを水平回転自在に支持するとともに、回転ギヤ１６ｂの回転に所定の抵抗をかけるバネ等の抵抗付与手段（図示略）が内蔵された本体１６ａと、から構成されており、補助カウンタ８が収納位置の直前から収納位置にて停止するまでの間、固定ギヤ１７と回転ギヤ１６ｂとが噛合されるようになっている。
【００３０】
これにより、引き出されている補助カウンタ８が強い力で収納位置に向けて押し込まれても、サイレンサー１６及び固定ギヤ１７により所定の抵抗力が付与されることで、補助カウンタ８が収納されたときの衝撃や衝撃音の発生が効果的に抑制される。
【００３１】
また、カウンタ部９の後部からは、補助カウンタ８を最大引き出し位置、すなわち、使用位置において引き出し方向の移動を規制するストライカー１８が設けられている。ストライカー１８は、図３及び図５に示されるように、基材９ａの下面後部に前部が固着されるとともに、後部がカウンタ部９の後端よりも後方に延設される側面視Ｌ字形の取り付け片１９と、この取り付け片１９の後端上部に設けられるキャッチ部材２０と、から構成されている。
【００３２】
キャッチ部材２０は、特に図５に示されるように、合成樹脂材により前面側が開放する縦断面略Ｊ字形の凹部２０ａが内部に形成され、ネジにより取り付け片１９の後端上部前面側に止着されている。詳しくはキャッチ部材２０には、天板２の下面前部に後向きに取り付けられるストッパ部材２１における垂直片部２１ａを収容可能な凹部２０ａが形成されているとともに、凹部２０ａ内には、ストッパ部材２１における垂直片部２１ａ後面に当接して前方への移動を規制する上下方向を向く規制面２０ｂが形成されているとともに、底面前部には、ストッパ部材２１における垂直片部２１ａの下端に摺接可能な上向きの隆起部２０ｃが形成されている。隆起部２０ｃの上端は垂直片部２１ａの下端よりも若干上方に位置する高さに設けられており、これらストッパ部材２１とキャッチ部材２０とにより補助カウンタ８を収納位置にて保持する保持手段が構成されている。
【００３３】
このように構成された保持手段の作用を説明すると、図５に示されるように、収納位置に収納された補助カウンタ８が開口１１を介して前方に引き出されると、該補助カウンタ８とともにキャッチ部材２０が前方に移動される。そして、キャッチ部材２０がストッパ部材２１における垂直片部２１ａに接近すると、まず隆起部２０ｃが垂直片部２１ａの下端に当接する。さらにキャッチ部材２０が前方に移動すると、取り付け片１９や隆起部２０ｃが若干弾性変形して隆起部２０ｃが垂直片部２１ａを越えて凹部２０ａ内に垂直片部２１ａが進入して収容される。この状態において、キャッチ部材２０、すなわち補助カウンタ８の前方向への移動が、垂直片部２１ａの後面に規制面２０ｂが当接することにより規制されるともに、補助カウンタ８の後方向への移動が、垂直片部２１ａの下端に隆起部２０ｃが当接することにより規制され、垂直片部２１ａが凹部２０ａ内に保持されるため、補助カウンタ８は引き出し位置にて保持される。
【００３４】
これにより、特に使用位置にある補助カウンタ８の収納方向への不用意な移動が防止されるため、カウンタ部９上面に物品が載置されている状態で補助カウンタ８が収納方向に移動し、物品を落下させてしまうことが防止されるとともに、前述したように、使用位置において、開口１１の上縁部内面１１ａに対向する凸条部材１３の位置が前後方向にずれることが防止されるため、水やゴミの進入が効果的に防止される。尚、これら保持手段により使用位置にて保持されている補助カウンタ８を収納する際には、若干強めに押し込めば、垂直片部２１ａが隆起部２０ｃを乗り越えて凹部２０ａ内から離脱され、保持状態が容易に解除される。
【００３５】
尚、本実施例における保持手段は、取り付け片１９や隆起部２０ｃの弾性変形力を利用して保持状態を解除させるラッチ装置であり、補助カウンタ８を前後方向に移動させるだけで保持及び解除が簡単にできるものであったが、例えば使用者の操作により保持手段による保持及び解除ができるようにしてもよいし、あるいは使用者の操作により補助カウンタ８の移動を完全に不能化するロック手段等を適用してもよい。
【００３６】
このように、補助カウンタ８が、キッチンカウンタ１の本体内部の収納空間Ｓに収納された収納位置から前方に引き出され、図７に示される使用位置に位置して保持手段により保持された状態では、前述したように、カウンタ部９の上面後部に設けられた所定高さを有する凸条部材１３が開口１１の上縁部内面１１ａとの対向位置に配置されるため、上縁部内面１１ａと凸条部材１３の上面１３ｂとの間に形成される隙間Ｌ２が、補助カウンタ８を使用位置まで完全に引き出していないとき、すなわち、上縁部内面１１ａの直下に表面板９ｂが位置しているときに形成される隙間Ｌ３に比べ、隙間の上下幅が小さくなる（狭まる）ので、使用位置に引き出して使用しているときにおいて、カウンタ部９上にある水やゴミ等が開口１１を介してキッチンカウンタ１の本体内部に進入することが効果的に防止される。
【００３７】
より詳しくは、補助カウンタ８が使用位置に位置している状態において、凸条部材１３の少なくとも前端部が、開口１１における上縁部内面１１ａの後端部よりも前方に位置するようになっていれば、上縁部内面１１ａとの間に形成される隙間を極力小さく、あるいは塞ぐことができ、水やゴミ等が開口１１を介してキッチンカウンタ１の本体内部に進入することが効果的に防止される。
【００３８】
また、カウンタ部９の上面と上縁部内面１１ａとの間の隙間Ｌ３を予め小さくして水やゴミの進入を防ごうとすると、支持レール１２による取り付け精度により補助カウンタ８の出し入れ時に表面板９ｂの上面が上縁部内面１１ａと摺接して傷つく虞があるが、本実施例の補助カウンタ８にあっては、表面板９ｂの上面後部のみが凸条部材１３により隆起されており、使用位置においてのみ上縁部内面１１ａの直下に凸条部材１３が配置され、その上面１３ｂが表面板９ｂの上面よりも上縁部内面１１ａに対して近接するようになっているので、出し入れにより表面板９ｂ上面が傷つくことなく、かつ、上縁部内面１１ａとの隙間が小さくなってゴミや水の進入が防止される。
【００３９】
また、開口１１の上縁部内面１１ａは、天板２の屈曲片部２ａの下面にて構成されていることで、天板２の前端から雫Ｗが伝い零れ落ちてくることがあるが、隙間Ｌ２が小さくなるとともに、傾斜面１３ａの少なくとも後端が上縁部内面１１ａの前端よりもやや後方に位置していることで、上方から伝い落ちてくる雫Ｗの下部が凸条部材１３の前部に形成された傾斜面１３ａに確実に当接することになり、これにより雫Ｗは上縁部内面１１ａから離脱して傾斜面１３ａ上に落下した後、傾斜面１３ａにより前方に向けて滑り落ちるように誘導される。さらに、小さな雫は上縁部内面１１ａ後部に設けられたパッキン１４により内部への進入が確実に規制されるため、雫Ｗが上縁部内面１１ａを伝って本体内部に入り込むことが効果的に防止される。
【００４０】
また、本実施例における凸条部材１３は、補助カウンタ８が使用位置に位置して保持手段により保持され、開口１１の上縁部内面１１ａと対向する対向位置に配置されたとき、上面１３ｂと上縁部内面１１ａとの間に若干の隙間Ｌ２が形成（近接）される高さに形成されていたが、上面１３ｂが上縁部内面１１ａに当接する高さを有していてもよい。また、凸条部の形状は前記凸条部材１３のような縦断面をなす形状に限定されるものではなく、種々に変更可能である。
【００４１】
尚、本実施例における補助カウンタ８にあっては、上面後部に設けられる凸条部が、基材９ａや表面板９ｂとは別個に形成された帯状の凸条部材１３にて構成されていたが、図８に示される本発明の変形例としての補助カウンタ８’のように、カウンタ部９の上面後縁部を隆起させることにより、左右幅方向に延びる凸条部３０をカウンタ本体に対して一体的に形成してもよい。
【００４２】
また、左右方向に延びる凸条部３０の左右端部から、カウンタ部９の左右縁部に沿って前後方向に延びる補助凸条部３１，３１を延設してもよく、このようにすることで、カウンタ部９の左右端縁部からの物品または水やゴミの落下が防止されるとともに、補助カウンタ８’を使用位置まで完全に引き出していない状態においても、開口１１を介して水やゴミ等がキッチンカウンタ１本体内部に進入することを防止できる。つまり、カウンタ部９の周囲に凸条部が形成されるように、カウンタ部９の上面周縁を残して凹設すればよい。
【００４３】
さらに、カウンタ部９の左右側面後部に、所定の左右幅を有する側面凸条部３２，３２を形成してもよく、このようにすることで、補助カウンタ８’を使用位置まで引き出した状態において開口１１の側縁部内面１１ｂに凸条部３２が近接もしくは当接し、開口１１の側縁部内面１１ｂと補助カウンタ８’の側面との間の隙間が小さくなるため、水やゴミ等のキッチンカウンタ１本体内部への進入がより効果的に防止されるとともに、補助カウンタ８’の出し入れの際に該補助カウンタ８’の側面が開口１１の側縁部内面１１ｂに摺接し、抵抗がかかって出し入れしにくくなることがない。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、補助カウンタが設けられるカウンタの一例として、キッチンスペースに設置される対面式のキッチンカウンタが適用されていたが、本発明はこれに限定されるものではなく、例えば側周面の一部（例えば背面）を壁面等に当接した状態で設置されるキッチンカウンタに本発明の補助カウンタを設けてもよい。さらに、キッチンスペースに設置されるキッチンカウンタに限らず、洗面所に設置される洗面カウンタ、あるいはその他の種々の目的で使用されるカウンタやキャビネット等の什器類に本発明の補助カウンタを設けてもよい。
【００４６】
また、前記実施例では、キッチンカウンタ１の側周面の一例である正面に補助カウンタが設けられていたが、補助カウンタ８の配置位置は正面に限定されるものではなく、図９中２点鎖線で示されるように、上面（天板面）及び底面以外の面である左右側面、背面所定箇所に設けてもよい。
【００４７】
また、前記実施例では、補助カウンタ８はキッチンカウンタ１の本体側周面に対して直線状に出し入れ自在に設けられていたが、図９中実線で示される平面視略扇状の補助カウンタ８’’のように、一端に配置される上下方向を向く枢軸（図示略）にて水平方向（矢印方向）に回動することによりキッチンカウンタ１の本体に対して引き出し自在に設けてもよい。尚、この場合、取手部１０の左端を手前側に引き出して引き出された使用位置において、取手部１０の反対側の直線状縁部上面に凸条部３３を設ければ、前述の実施例における補助カウンタ８と同様の作用・効果が得られる。
【図面の簡単な説明】
【００４８】
【図１】本発明の本実施例としてのキッチンカウンタを示す斜視図である。
【図２】図1のキッチンカウンタの要部を示す平面図である。
【図３】図２のＡ−Ａ要部断面図である。
【図４】図３の要部拡大図である。
【図５】同じく図３の要部拡大断面図である。
【図６】図２のＢ−Ｂ断面図である。
【図７】補助カウンタの使用状態における作用を示す断面図である。
【図８】本発明の変形例としての補助カウンタの後部を示す一部破断斜視図である。
【図９】本発明の変形例としての補助カウンタが適用されたキッチンカウンタを示す斜視図である。
【符号の説明】
【００４９】
１              キッチンカウンタ（カウンタ）
２              天板
２ａ            屈曲片部
８              補助カウンタ
９              カウンタ部
９ａ            基材
９ｂ            表面板
９ｃ            垂下片
１０            取手部
１１            開口
１１ａ          上縁部内面
１１ｂ          側縁部内面
１２，１２      ガイドレール（支持レール）
１３            凸条部材（凸条部）
１３ａ          傾斜面
１５            絶縁部材（電食防止部材）
１８            ストライカー（保持手段）
１９            取り付け片（保持手段）
２０            キャッチ部材（保持手段）
２０ａ          凹部
２０ｂ          規制面
２０ｃ          隆起部
２１            ストッパ部材（保持手段）
２１ａ          垂直片部（保持手段）
３０，３３      凸条部
３１            補助凸条部
【図１】
0004829606.tif 000002
【図２】
0004829606.tif 000003
【図３】
0004829606.tif 000004
【図４】
0004829606.tif 000005
【図５】
0004829606.tif 000006
【図６】
0004829606.tif 000007
【図７】
0004829606.tif 000008
【図８】
0004829606.tif 000009
【図９】
0004829606.tif 000010